【手続補正書】
【提出日】平成18年4月20日(2006.4.20)
【手続補正１】
【補正対象書類名】特許請求の範囲
【補正対象項目名】全文
【補正方法】変更
【補正の内容】
【特許請求の範囲】
【請求項１】
最上部電極層と、
多層バックプレーンと、
前記最上部電極層と前記多層バックプレーンとの間に位置する電気泳動セル層と
を備え、
前記多層バックプレーンは、
最上部表面および最下部側面を有する第１基板上に形成された第１導電性層であって、前記第１導電性層は前記第１基板の最上部表面上に形成された電極を含み、前記電極は５ミクロン以下の厚みを有する金属薄膜構造を含む、前記第１導電性層と、
前記電極に関連付けられた回路ルーティング経路を含む第２導電性層と、
前記電極に関連付けられた回路要素を含む第３導電性層と、
前記第１導電性層から前記第２導電性層へ前記第１基板を介して連通する第１経路構造と
を備え、
前記第１経路構造によって、前記第１基板の最上部表面上に形成された前記電極を前記電極に関連付けられた前記回路ルーティング経路に電気的に接続することにより導電経路の少なくとも一部を形成することを特徴とするマトリクス駆動電気泳動ディスプレイ。
【請求項２】
最上部電極層が共通電極を含んでいる、請求項１に記載のマトリクス駆動電気泳動ディスプレイ。
【請求項３】
最上部電極層が、各々が多数の電気泳動セルを覆っている多数の電極を含んでいる、請求項１に記載のマトリクス駆動電気泳動ディスプレイ。
【請求項４】
多数の電極が多数の列電極を含んでいる、請求項３に記載のマトリクス駆動電気泳動ディスプレイ。
【請求項５】
多数の電極が多数の行電極を含んでいる、請求項３に記載のマトリクス駆動電気泳動ディスプレイ。
【請求項６】
第2導電性層から第3導電性層まで連通する第2経路構造をさらに含んでいる、請求項１に記載のマトリクス駆動電気泳動ディスプレイ。
【請求項７】
電気泳動セル層が多数の電気泳動セルを含んでいる、請求項1に記載のマトリクス駆動電気泳動ディスプレイ。
【請求項８】
多数の電気泳動セルが多数のマイクロカップタイプ電気泳動セルを含んでいる、請求項7に記載のマトリクス駆動電気泳動ディスプレイ。
【請求項９】
電気泳動セル層が多数の電気泳動セルを含み、電極が前記電気泳動セルの少なくとも1つに関連付けられている、請求項1に記載のマトリクス駆動電気泳動ディスプレイ。
【請求項１０】
第1基板がフレキシブルポリマー基板を含んでいる、請求項1に記載のマトリクス駆動電気泳動ディスプレイ。
【請求項１１】
電極が、以下の処理により形成される、請求項1に記載のマトリクス駆動電気泳動ディスプレイ：
第1基板の最上部表面上に可剥性材料で、電極形成領域を形作るパターンを印刷すること；
第1基板のパターン化された最上部表面上に、金属薄膜を堆積させること；および、
第1基板の最上部表面から可剥性材料を剥離すること。
【請求項１２】
可剥性材料が、有機溶媒あるいは溶剤混合物で剥離可能な、ポリマー、オリゴマー、あるいはワックスを含んでいる、請求項11に記載のマトリクス駆動電気泳動ディスプレイ。
【請求項１３】
可剥性材料が、水溶液で剥離可能な、ポリマー、オリゴマー、あるいはワックスを含んでいる、請求項11に記載のマトリクス駆動電気泳動ディスプレイ。
【請求項１４】
回路要素が、電極に関連付けられたスイッチング要素を含んでいる、請求項1に記載のマトリクス駆動電気泳動ディスプレイ。
【請求項１５】
スイッチング要素が、少なくとも1つのダイオードを含んでいる、請求項14に記載のマトリクス駆動電気泳動ディスプレイ。
【請求項１６】
スイッチング要素が、少なくとも1つのトランジスタを含んでいる、請求項14に記載のマトリクス駆動電気泳動ディスプレイ。
【請求項１７】
スイッチング要素が、少なくとも１つのＭＩＭ(金属絶縁体金属)デバイスを含んでいる、請求項１４に記載のマトリクス駆動電気泳動ディスプレイ。
【請求項１８】
スイッチング要素が、少なくとも1つのバリスタを含んでいる、請求項14に記載のマトリクス駆動電気泳動ディスプレイ。
【請求項１９】
多層バックプレーンが、最上部表面および最下部側面を有する第2基板をさらに含み、スイッチング要素が第2基板の最下部側面上に形成されている、請求項１４に記載のマトリクス駆動電気泳動ディスプレイ。
【請求項２０】
多層バックプレーンが、第2基板の最上部表面から第2基板の最下部側面へ連通する第２経路構造をさらに含んでいる、請求項１９に記載のマトリクス駆動電気泳動ディスプレイ。
【請求項２１】
スイッチング要素が、第2経路構造、回路ルーティング経路、および第1経路構造を含んでいる経路を通して、電極に電気的に接続されている、請求項20に記載のマトリクス駆動電気泳動ディスプレイ。
【請求項２２】
第1経路構造が、以下の処理により形成される、請求項1に記載のマトリクス駆動電気泳動ディスプレイ：
電極および回路ルーティング経路と関連付けられた、第1基板の最上部表面から第1基板最下部までを連通するよう第１基板を貫通する経路孔を形成すること。
【請求項２３】
電極と回路ルーティング経路との間の導電性経路を形成するために、第1経路構造形成処理が、経路孔を少なくとも部分的に導電性材料で充填することをさらに含んでいる、請求項22に記載のマトリクス駆動電気泳動ディスプレイ。
【請求項２４】
導電性材料が導電性インクを含んでいる、請求項23に記載のマトリクス駆動電気泳動ディスプレイ。
【請求項２５】
導電性インクが銀ペーストを含んでいる、請求項24に記載のマトリクス駆動電気泳動ディスプレイ。
【請求項２６】
導電性インクが、カーボンブラックあるいはグラファイトペーストを含んでいる、請求項２４に記載のマトリクス駆動電気泳動ディスプレイ。
【請求項２７】
導電性インクが導電性ポリマーを含んでいる、請求項２４に記載のマトリクス駆動電気泳動ディスプレイ。
【請求項２８】
電極と回路ルーティング経路との間の導電性経路を形成するために、第1経路構造形成処理が、その経路孔の両側を少なくとも部分的に導電性材料でコーティングすることをさらに含んでいる、請求項22に記載のマトリクス駆動電気泳動ディスプレイ。
【請求項２９】
導電性材料が金属メッキを含んでいる、請求項28に記載のマトリクス駆動電気泳動ディスプレイ。
【請求項３０】
金属メッキが銅メッキを含んでいる、請求項29に記載のマトリクス駆動電気泳動ディスプレイ。
【請求項３１】
経路孔を少なくとも部分的に導電性材料でコーティングするステップが、以下を含んでいる、請求項28に記載のマトリクス駆動電気泳動ディスプレイ：
第1基板の最上部表面を乾燥フォトレジスト膜でラミネートすること；
選択された部分を紫外線で露光することにより、乾燥フォトレジスト膜をパターン化すること、パターンはフォトレジストの非硬化部分除去後に、経路孔および電極の少なくとも一部がカバーされないようなものである；
乾燥フォトレジスト膜の非硬化部分を除去すること；
第1基板の最上部表面および経路孔の側壁上に、コロイド性グラファイト層を堆積すること；および、
電気メッキを用いて、コロイド性グラファイトで覆われた表面に金属層を堆積すること。
【請求項３２】
少なくとも部分的に経路孔を導電性材料でコーティングするステップが、第1基板の最上部表面から乾燥フォトレジスト膜の硬化部分を剥離することをさらに含んでいる、請求項31に記載のマトリクス駆動電気泳動ディスプレイ。
【請求項３３】
剥離ステップが、コロイド性グラファイト層および金属層の双方の堆積後に実行される、請求項32に記載のマトリクス駆動電気泳動ディスプレイ。
【請求項３４】
剥離ステップが、コロイド性グラファイト層の堆積後、かつ金属層の堆積前に実行される、請求項32に記載のマトリクス駆動電気泳動ディスプレイ。
【請求項３５】
金属層が銅層を含んでいる、請求項31に記載のマトリクス駆動電気泳動ディスプレイ。
【請求項３６】
導電性材料による少なくとも部分的な経路孔コーティングステップが、第1基板の最下部側面をテント膜によりラミネートすることをさらに含んでいる、請求項31に記載のマトリクス駆動電気泳動ディスプレイ。
【請求項３７】
テント膜が乾燥フォトレジスト膜を含んでいる、請求項36に記載のマトリクス駆動電気泳動ディスプレイ。
【請求項３８】
テント膜がマスキングテープを含んでいる、請求項36に記載のマトリクス駆動電気泳動ディスプレイ。
【請求項３９】
経路孔がレーザを用いて形成される、請求項22に記載のマトリクス駆動電気泳動ディスプレイ。
【請求項４０】
経路孔が機械的穿孔により形成される、請求項22に記載のマトリクス駆動電気泳動ディスプレイ。
【請求項４１】
経路孔がコンピュータ数値制御(CNC)穿孔により形成される、請求項22に記載のマトリクス駆動電気泳動ディスプレイ。
【請求項４２】
多層バックプレーンが多数の基板を含み、さらに基板の1つの上にスイッチング要素が形成されている、請求項14に記載のマトリクス駆動電気泳動ディスプレイ。
【請求項４３】
各基板が一緒にラミネートされている、請求項42に記載のマトリクス駆動電気泳動ディスプレイ。
【請求項４４】
第3導電性層が駆動回路および要素層を含んでいる、請求項42に記載のマトリクス駆動電気泳動ディスプレイ。
【請求項４５】
駆動回路および要素層が、多層バックプレーンの最下部基板の最下部表面に取り付けられた要素を含んでいる、請求項44に記載されたマトリクス駆動電気泳動ディスプレイ。
【請求項４６】
要素が、回路要素を含んでいる、請求項45に記載のマトリクス駆動電気泳動ディスプレイ。
【請求項４７】
要素が、電極に関連付けられたコンデンサーを含んでいる、請求項45に記載のマトリクス駆動電気泳動ディスプレイ。
【請求項４８】
要素が、電極に関連付けられた駆動回路を含んでいる、請求項45に記載のマトリクス駆動電気泳動ディスプレイ。
【請求項４９】
要素が、集積回路を含んでいる、請求項４５に記載のマトリクス駆動電気泳動ディスプレイ。
【請求項５０】
集積回路が、電極に関連付けられたスイッチング要素を含んでいる、請求項48に記載のマトリクス駆動電気泳動ディスプレイ。
【請求項５１】
集積回路が、電極に関連付けられた駆動回路を含んでいる、請求項４８に記載のマトリクス駆動電気泳動ディスプレイ。
【請求項５２】
集積回路が、マイクロプロセッサ、あるいはマイクロコントローラ、あるいは特定用途向け集積回路(ASIC)を含んでいる、請求項４８に記載のマトリクス駆動電気泳動ディスプレイ。